(57)【要約】  【課題】  第１装置と第２装置との組み合わせに応じて、最適な映像となるように映像信号の走査線数を変換することができる映像システムなどを提供する。  【解決手段】  本発明に係る映像システムは、アップコンバータ１５が搭載されたビデオレコーダ１（第１装置）と、アップコンバータ４２が搭載された表示装置４（第２装置）とを備える。ビデオレコーダ１は、各種の表示装置に備えられているアップコンバータ（アップコンバータ４２を含む）の変換能力を示す能力情報（アップコンバータ情報）からなる機種情報データベース、及びアップコンバータ１５のアップコンバータ情報が記憶された記憶部１６と、表示装置４を指定するための操作部１２と、機種情報データベースから、指定された表示装置４のアップコンバータ４２のアップコンバータ情報を読み出し、いずれのアップコンバータの変換能力が高いかを判定する判定部１４とを備える。【選択図】        図１
2006050352.tif 000002
【特許請求の範囲】
【請求項１】
第１装置から第２装置へ映像信号を出力するように接続され、映像信号の走査線数を第１装置の変換手段又は第２装置の変換手段にて変換する映像システムにおいて、
第１装置は、
第１装置及び第２装置の各変換手段の変換能力を示す能力情報を記憶する記憶部と、
前記記憶部に記憶された能力情報に基づいて、いずれの変換手段の変換能力が高いかを判定する判定手段とを備え、
該判定手段にて、第１装置の変換手段の変換能力が高いと判定した場合、
第１装置は、映像信号の走査線数を前記変換手段にて変換して第２装置へ出力するようにしてあること
を特徴とする映像システム。
【請求項２】
前記記憶部には、第１装置及び第２装置を含む複数の変換手段の変換能力を示す能力情報が記憶されており、
第１装置は、
第２装置の指定を受け付ける受付手段と、
受け付けた第２装置に係る能力情報及び第１装置に係る能力情報を前記記憶部から読み出す手段とを備え、
前記判定手段は、読み出した能力情報に基づいて、いずれの変換手段の変換能力が高いかを判定するようにしてあること
を特徴とする請求項１に記載の映像システム。
【請求項３】
第１装置は、
外部から変換手段の変換能力を示す能力情報を取得する手段をさらに備え、
取得した能力情報を前記記憶部に記憶するようにしてあること
を特徴とする請求項１又は請求項２に記載の映像システム。
【請求項４】
第１装置から第２装置へ映像信号を出力するように接続され、映像信号の走査線数を第１装置の変換手段又は第２装置の変換手段にて変換する映像システムにおいて、
第２装置は、
第２装置の変換手段の変換能力を示す能力情報を記憶する記憶部と、
前記能力情報を第１装置へ送信する送信手段とを備え、
第１装置は、
第２装置から送信された能力情報を受信する受信手段と、
第１装置の変換手段の変換能力を示す能力情報を記憶する記憶部と、
前記受信手段にて受信した能力情報及び前記記憶部に記憶された能力情報に基づいて、いずれの変換手段の変換能力が高いかを判定する判定手段とを備え、
該判定手段にて、第１装置の変換手段の変換能力が高いと判定した場合、
第１装置は、映像信号の走査線数を前記変換手段にて変換して第２装置へ出力するようにしてあること
を特徴とする映像システム。
【請求項５】
前記判定手段にて、第２装置の変換手段の変換能力が高いと判定した場合、
第１装置は、映像信号の走査線数を変換することなく第２装置へ出力し、
第２装置は、映像信号の走査線数を前記変換手段にて変換するようにしてあること
を特徴とする請求項１乃至請求項４のいずれか１つに記載の映像システム。
【請求項６】
第１装置は、映像信号を記憶する映像記憶装置であり、
第２装置は、第１装置から出力された映像信号に係る映像を表示する映像表示装置であること
を特徴とする請求項１乃至請求項５のいずれか１つに記載の映像システム。
【請求項７】
接続部を介して外部装置と接続可能になしてあり、映像信号の走査線数を変換する変換手段を備え、映像信号を記憶する映像記憶装置において、
映像記憶装置及び外部装置における映像信号の走査線数を変換する変換能力を示す能力情報を記憶する記憶部と、
接続された外部装置の指定を受け付ける受付手段と、
前記受付手段にて受け付けた外部装置の能力情報及び映像記憶装置の能力情報を前記記憶部から読み出して、いずれの変換能力が高いかを判定する判定手段とを備え、
該判定手段にて、映像記憶装置の変換能力が高いと判定した場合、映像信号の走査線数を前記変換手段にて変換して、前記接続部から出力するようにしてあること
を特徴とする映像記憶装置。
【請求項８】
接続部を介して外部装置と接続可能になしてあり、映像信号の走査線数を変換する変換手段を備え、映像信号を記憶する映像記憶装置において、
前記変換手段の変換能力を示す能力情報を記憶する記憶部と、
接続された外部装置から、該外部装置における映像信号の走査線数を変換する変換能力を示す能力情報を受信する受信手段と、
該受信手段にて受信した能力情報及び前記記憶部に記憶された能力情報に基づいて、いずれの変換能力が高いかを判定する判定手段とを備え、
該判定手段にて、映像記憶装置の変換能力が高いと判定した場合、映像信号の走査線数を前記変換手段にて変換して、前記接続部から出力するようにしてあること
を特徴とする映像記憶装置。
【請求項９】
前記判定手段にて、外部装置の変換能力が高いと判定した場合、映像信号の走査線数を前記変換手段にて変換せずに、前記接続部から出力するようにしてあること
を特徴とする請求項７又は請求項８に記載の映像記憶装置。
【発明の詳細な説明】
【技術分野】
【０００１】
本発明は、第１装置から第２装置へ映像信号を出力するように接続され、映像信号の走査線数を第１装置又は第２装置にて変換する映像システム、及び第１装置としての映像記憶装置に関する。
【背景技術】
【０００２】
日本国において、従来のＮＴＳＣ方式のテレビジョン放送に加えて、ハイビジョン方式のテレビジョン放送が行われている。それにともなって、放送されたハイビジョン方式の映像信号を記憶する映像記憶装置及び該映像信号に係る映像を表示する映像表示装置が実用化されている。ハイビジョン方式の走査線の本数は、従来のＮＴＳＣ方式の略２倍であり、高精細な映像を配信している。
【０００３】
ところで、現状は、従来のＮＴＳＣ方式の放送が継続されているとともに、ＤＶＤにおいても、ＮＴＳＣ方式と同等の走査線が４８０本の映像を記憶しているにすぎない。したがって、ハイビジョン方式に対応した映像記憶装置及び映像表示装置は、走査線が４８０本の映像信号（以下、ＳＤ（Standard Definition）信号という）が入力された場合には、ＳＤ信号を１０８０本の映像信号（以下、ＨＤ（High Definition）信号という）へ変換するアップコンバータ（例えば、特許文献１参照。）を備えている。
【特許文献１】特開平６−７０２８９号公報
【発明の開示】
【発明が解決しようとする課題】
【０００４】
ところで、アップコンバータは、内挿フィルタ（以下、フィルタ）を備えており、フィルタの構成によって映像信号の変換能力が決定されることから、ＨＤ信号にアップコンバートされた映像の品位は、映像記憶装置及び映像表示装置の機種によって相違する。したがって、映像記憶装置と映像表示装置とが接続された映像システムにおいては、映像記憶装置にＳＤ信号を入力し、映像記憶装置を経由して映像表示装置に、そのＳＤ信号に係る映像を表示する場合、映像記憶装置及び映像表示装置に搭載されているアップコンバータの変換能力の相違によって、表示される映像の品位として次の２通りのパターンが考えられる。
【０００５】
第１のパターンは、映像記憶装置に搭載されたアップコンバータの方が映像表示装置より変換能力が高い場合である。この場合、映像記憶装置に入力されたＳＤ信号を、映像記憶装置に搭載されたアップコンバータでＨＤ信号へ変換し、変換されたＨＤ信号を映像表示装置へ出力するようにすることが好ましい。
【０００６】
第２のパターンは、映像表示装置に搭載されたアップコンバータの方が映像記憶装置より変換能力が高い場合である。この場合、映像記憶装置に入力されたＳＤ信号を、映像記憶装置に搭載されたアップコンバータでＨＤ信号へ変換せず、入力されたＳＤ信号を映像表示装置へ出力し、映像表示装置に搭載されたアップコンバータでＨＤ信号へ変換することが好ましい。
【０００７】
つまり、映像記憶装置及び映像表示装置のうちの変換能力が高いアップコンバータを搭載した装置側にて、ＳＤ信号をＨＤ信号へ変換するようにすれば、最適な映像を表示することができる。
【０００８】
本発明は斯かる事情に鑑みてなされたものであり、第１装置の記憶部に第１装置及び第２装置の各変換手段の変換能力を示す能力情報を記憶しておき、記憶部に記憶された能力情報に基づいて、第１装置又は第２装置のいずれの変換手段の変換能力が高いかを判定する構成とすることにより、第１装置の変換手段の変換能力が高いと判定した場合、第１装置は、映像信号の走査線数を変換して第２装置へ出力し、最適な映像となるように映像信号の走査線数を変換することができる映像システム及び第１装置としての映像記憶装置の提供を目的とする。
【０００９】
また本発明は、第１装置の記憶部に第１装置及び第２装置を含む複数の変換手段の変換能力を示す能力情報を記憶しておき、第１装置は、第１装置に接続された第２装置の指定を受け付け、受け付けた第２装置の変換手段の能力情報及び第１装置の変換手段の能力情報に基づいて、第１装置又は第２装置のいずれの変換手段の変換能力が高いかを判定する構成とすることにより、第１装置と第２装置との組み合わせに応じて、最適な映像となるように映像信号の走査線数を変換することができる映像システム及び第１装置としての映像記憶装置の提供を目的とする。
【００１０】
また本発明は、第１装置が外部から変換手段の能力情報を取得して記憶部に記憶する構成とすることにより、第１装置の出荷後に新たな第２装置が販売された場合であっても、第２装置の能力情報を把握することができる映像システム及び第１装置としての映像記憶装置の提供を目的とする。
【００１１】
さらに本発明は、第２装置の記憶部に第２装置の変換手段の能力情報を記憶しておき、記憶している能力情報を第１装置へ送信し、第１装置の記憶部に第１装置の変換手段の能力情報を記憶しておき、第１装置は、第２装置から送信された能力情報を受信し、受信した能力情報及び記憶部に記憶された能力情報に基づいて、第１装置又は第２装置のいずれの変換手段の変換能力が高いかを判定する構成とすることにより、第１装置の変換手段の変換能力が高いと判定した場合、第１装置は、映像信号の走査線数を変換して第２装置へ出力し、最適な映像となるように映像信号の走査線数を変換することができる映像システム及び第１装置としての映像記憶装置の提供を目的とする。
【００１２】
さらにまた本発明は、第２装置の変換手段の変換能力が高いと判定した場合、第１装置は、映像信号の走査線数を変換することなく第２装置へ出力し、第２装置は、映像信号の走査線数を変換することができる映像システム及び第１装置としての映像記憶装置の提供を目的とする。
【課題を解決するための手段】
【００１３】
本発明に係る映像システムは、第１装置から第２装置へ映像信号を出力するように接続され、映像信号の走査線数を第１装置の変換手段又は第２装置の変換手段にて変換する映像システムにおいて、第１装置は、第１装置及び第２装置の各変換手段の変換能力を示す能力情報を記憶する記憶部と、前記記憶部に記憶された能力情報に基づいて、いずれの変換手段の変換能力が高いかを判定する判定手段とを備え、該判定手段にて、第１装置の変換手段の変換能力が高いと判定した場合、第１装置は、映像信号の走査線数を前記変換手段にて変換して第２装置へ出力するようにしてあることを特徴とする。
【００１４】
本発明に係る映像システムは、上述した発明において、前記記憶部には、第１装置及び第２装置を含む複数の変換手段の変換能力を示す能力情報が記憶されており、第１装置は、第２装置の指定を受け付ける受付手段と、受け付けた第２装置に係る能力情報及び第１装置に係る能力情報を前記記憶部から読み出す手段とを備え、前記判定手段は、読み出した能力情報に基づいて、いずれの変換手段の変換能力が高いかを判定するようにしてあることを特徴とする。
【００１５】
本発明に係る映像システムは、上述した各発明において、第１装置は、外部から変換手段の変換能力を示す能力情報を取得する手段をさらに備え、取得した能力情報を前記記憶部に記憶するようにしてあることを特徴とする。
【００１６】
本発明に係る映像システムは、第１装置から第２装置へ映像信号を出力するように接続され、映像信号の走査線数を第１装置の変換手段又は第２装置の変換手段にて変換する映像システムにおいて、第２装置は、第２装置の変換手段の変換能力を示す能力情報を記憶する記憶部と、前記能力情報を第１装置へ送信する送信手段とを備え、第１装置は、第２装置から送信された能力情報を受信する受信手段と、第１装置の変換手段の変換能力を示す能力情報を記憶する記憶部と、前記受信手段にて受信した能力情報及び前記記憶部に記憶された能力情報に基づいて、いずれの変換手段の変換能力が高いかを判定する判定手段とを備え、該判定手段にて、第１装置の変換手段の変換能力が高いと判定した場合、第１装置は、映像信号の走査線数を前記変換手段にて変換して第２装置へ出力するようにしてあることを特徴とする。
【００１７】
本発明に係る映像システムは、上述した各発明において、前記判定手段にて、第２装置の変換手段の変換能力が高いと判定した場合、第１装置は、映像信号の走査線数を変換することなく第２装置へ出力し、第２装置は、映像信号の走査線数を前記変換手段にて変換するようにしてあることを特徴とする。
【００１８】
本発明に係る映像システムは、上述した各発明において、第１装置は、映像信号を記憶する映像記憶装置であり、第２装置は、第１装置から出力された映像信号に係る映像を表示する映像表示装置であることを特徴とする。
【００１９】
本発明に係る映像記憶装置は、接続部を介して外部装置と接続可能になしてあり、映像信号の走査線数を変換する変換手段を備え、映像信号を記憶する映像記憶装置において、映像記憶装置及び外部装置における映像信号の走査線数を変換する変換能力を示す能力情報を記憶する記憶部と、接続された外部装置の指定を受け付ける受付手段と、前記受付手段にて受け付けた外部装置の能力情報及び映像記憶装置の能力情報を前記記憶部から読み出して、いずれの変換能力が高いかを判定する判定手段とを備え、該判定手段にて、映像記憶装置の変換能力が高いと判定した場合、映像信号の走査線数を前記変換手段にて変換して、前記接続部から出力するようにしてあることを特徴とする。
【００２０】
本発明に係る映像記憶装置は、接続部を介して外部装置と接続可能になしてあり、映像信号の走査線数を変換する変換手段を備え、映像信号を記憶する映像記憶装置において、前記変換手段の変換能力を示す能力情報を記憶する記憶部と、接続された外部装置から、該外部装置における映像信号の走査線数を変換する変換能力を示す能力情報を受信する受信手段と、該受信手段にて受信した能力情報及び前記記憶部に記憶された能力情報に基づいて、いずれの変換能力が高いかを判定する判定手段とを備え、該判定手段にて、映像記憶装置の変換能力が高いと判定した場合、映像信号の走査線数を前記変換手段にて変換して、前記接続部から出力するようにしてあることを特徴とする。
【００２１】
本発明に係る映像記憶装置は、上述した各発明において、前記判定手段にて、外部装置の変換能力が高いと判定した場合、映像信号の走査線数を前記変換手段にて変換せずに、前記接続部から出力するようにしてあることを特徴とする。
【００２２】
本発明にあっては、第１装置（例えば映像記憶装置）の記憶部に、第１装置及び第２装置（例えば映像表示装置）の変換手段の変換能力を示す能力情報が記憶されている。そして、記憶部に記憶された能力情報に基づいて、第１装置の変換手段又は第２装置の変換手段のいずれの変換能力が高いかを判定する。第１装置の変換手段の変換能力が高いと判定した場合、第１装置は、映像信号の走査線数を変換して第２装置へ出力する。また、第２装置の変換手段の変換能力が高いと判定した場合、第１装置は、映像信号の走査線数を変換することなく第２装置へ出力し、第２装置は、映像信号の走査線数を変換する。
【００２３】
本発明にあっては、第１装置の記憶部に、第１装置及び第２装置を含む複数の変換手段の変換能力を示す能力情報が記憶されている。そして、指定手段にて第２装置の指定を受け付け、受け付けた第２装置の変換手段の能力情報及び第１装置の変換手段の能力情報を記憶部から読み出す。これにより、第１装置及び第２装置の変換手段による変換能力を特定することができる。そして、読み出した各能力情報に基づいて、第１装置の変換手段又は第２装置の変換手段のいずれの変換能力が高いかを判定する。よって、第１装置と第２装置との組み合わせに応じて、最適な映像となるように映像信号の走査線数を変換することができる。
【００２４】
本発明にあっては、第１装置が外部から変換手段の変換能力を示す能力情報を取得して記憶部に記憶する。これにより、第１装置の出荷後に新たな第２装置が販売された場合であっても、第２装置の変換手段の変換能力を把握することができ、第１装置の変換手段又は第２装置の変換手段のいずれの変換能力が高いかを判定することができる。
【００２５】
本発明にあっては、第２装置の記憶部に、第２装置の変換手段の変換能力を示す能力情報が記憶されている。また、第１装置の記憶部には、第１装置の変換手段の変換能力を示す能力情報が記憶されている。第２装置は、記憶している能力情報を第１装置へ送信し、第１装置は、第２装置から送信された能力情報を受信し、受信した能力情報及び記憶部に記憶された能力情報に基づいて、第１装置の変換手段又は第２装置の変換手段のいずれの変換能力が高いかを判定することができる。
【発明の効果】
【００２６】
本発明によれば、第１装置の記憶部に第１装置及び第２装置の各変換手段の変換能力を示す能力情報を記憶しておき、記憶部に記憶された能力情報に基づいて、第１装置又は第２装置のいずれの変換手段の変換能力が高いかを判定する構成としたので、第１装置の変換手段の変換能力が高いと判定した場合、第１装置は、映像信号の走査線数を変換して第２装置へ出力し、最適な映像となるように映像信号の走査線数を変換することができる。また、第２装置の変換手段の変換能力が高いと判定した場合、第１装置は、映像信号の走査線数を変換することなく第２装置へ出力し、第２装置は、映像信号の走査線数を変換することができる。
【００２７】
また本発明によれば、第１装置の記憶部に第１装置及び第２装置を含む複数の変換手段の変換能力を示す能力情報を記憶しておき、第１装置は、第１装置に接続された第２装置の指定を受け付け、受け付けた第２装置の変換手段の能力情報及び第１装置の変換手段の能力情報に基づいて、第１装置又は第２装置のいずれの変換手段の変換能力が高いかを判定する構成としたので、第１装置と第２装置との組み合わせに応じて、最適な映像となるように映像信号の走査線数を変換することができる。
【００２８】
さらに本発明によれば、第１装置が外部から変換手段の能力情報を取得して記憶部に記憶する構成としたので、第１装置の出荷後に新たな第２装置が販売された場合であっても、第２装置の能力情報を把握することができる。
【００２９】
さらにまた本発明によれば、第２装置の記憶部に第２装置の変換手段の能力情報を記憶しておき、記憶している能力情報を第１装置へ送信し、第１装置の記憶部に第１装置の変換手段の能力情報を記憶しておき、第１装置は、第２装置から送信された能力情報を受信し、受信した能力情報及び記憶部に記憶された能力情報に基づいて、第１装置又は第２装置のいずれの変換手段の変換能力が高いかを判定する構成としたので、第１装置の変換手段の変換能力が高いと判定した場合、第１装置は、映像信号の走査線数を変換して第２装置へ出力し、最適な映像となるように映像信号の走査線数を変換することができる。また、第２装置の変換手段の変換能力が高いと判定した場合、第１装置は、映像信号の走査線数を変換することなく第２装置へ出力し、第２装置は、映像信号の走査線数を変換することができる等、優れた効果を奏する。
【発明を実施するための最良の形態】
【００３０】
以下、本発明をその実施の形態を示す図面に基づいて詳述する。
【００３１】
（実施の形態１）
図１は本発明の実施の形態１に係る映像システムの構成を示すブロック図である。
本発明の実施の形態１に係る映像システムは、映像信号の走査線数を変換する変換手段であるアップコンバータ１５が搭載された第１装置であるビデオレコーダ１と、映像信号の走査線数を変換する変換手段であるアップコンバータ４２が搭載された第２装置である表示装置４とを備える。ビデオレコーダ１に入力された映像信号が表示装置４へ出力されるように、ビデオレコーダ１と表示装置４とは、映像信号を伝送するための接続ケーブル７で接続されている。
【００３２】
ビデオレコーダ１は、ＣＰＵで構成された制御部１０を備えている。制御部１０はバスを介して、入力部１１，操作部１２，記憶再生部１３，判定部１４，アップコンバータ１５，記憶部１６，出力部１７などと接続され、これら各部を制御して、制御部１０に内蔵するＲＯＭに格納された制御プログラムに従って種々の機能を実行する。
【００３３】
入力部１１はアンテナ８に接続されており、放送中継基地９から送信された映像信号であるＳＤ信号のうちの特定周波数帯域のＳＤ信号を選択して復調する機能を有する。
【００３４】
アップコンバータ１５は、ＳＤ信号をＨＤ信号へ変換（アップコンバート）する機能を有しており、アップコンバートされたＨＤ信号は、記憶再生部１３によって、ビデオレコーダ１に着脱可能な磁気ディスク又は光ディスクなどの記憶メディア１３ａに記憶される。また、記憶再生部１３は、記憶メディア１３ａに記憶されているＨＤ信号を読み出すこともできる。なお、記憶再生部１３は、ＳＤ信号を記憶メディア１３ａに記憶したり、記憶メディア１３ａに記憶されているＳＤ信号を読み出したりできるものであってもよい。
【００３５】
記憶部１６は、電源オフ状態であっても記憶情報を保持することができるＥＥＰＲＯＭのようなメモリ特性を有するデバイスであり、記憶部１６には、各種の表示装置に備えられているアップコンバータの変換能力を示す能力情報（以下、アップコンバータ情報）からなる機種情報データベースが記憶されている。機種情報データベースには、図２に示すように、表示装置毎に、識別名（例えばメーカ名及び機種名など）、動き適応処理の有無、フィルタの次数及び内部処理のビット数が関連付けて記憶されている。アップコンバータは、一般に、動き適応処理に対応していることが好ましく、また、フィルタの次数及び内部処理のビット数は大きいことが好ましい。
【００３６】
また、記憶部１６には、ビデオレコーダ１に搭載されているアップコンバータ１５の変換能力が分かるように、機種情報データベースと同様、動き適応処理の有無、フィルタの次数及び内部処理のビット数が関連付けられたアップコンバータ１５のアップコンバータ情報が記憶されている。
【００３７】
動き適応処理は、インターレース方式のＳＤ信号が動画像であるか又は静止画像であるかによって、ＳＤ信号のＨＤ信号へのアップコンバート処理を決定する。通常、インターレース方式のＳＤ信号は、走査線のうち、奇数番目の走査線に係るＳＤ信号からなる第１フィールドと、偶数番目の走査線に係るＳＤ信号からなる第２フィールドとを含んでいる。第１フィールドでは、偶数番目の走査線に係るＳＤ信号は含まれず、一方、第２フィールドでは、奇数番目の走査線に係るＳＤ信号は含まれていない。したがって、ＳＤ信号が動画像である場合には、図３に示すように、各フィールドにおけるＳＤ信号の情報からＨＤ信号へアップコンバートする（フィールド内内挿処理）。一方、ＳＤ信号が静止画像である場合には、図４に示すように、各フィールド及び隣り合うフィールド（例えば、１つ前のフィールド）でのＳＤ信号の情報からＨＤ信号へアップコンバートする（フィールド間内挿処理）。
【００３８】
ビデオレコーダ１は、表示装置４にオン・スクリーン・ディスプレイ（ＯＳＤ）画像を表示することによって、ビデオレコーダ１の設定状態及び動作状態の通知などを行う。
【００３９】
操作部１２は、ビデオレコーダ１を操作するためのものであり、本実施形態において特徴的な表示装置指定キー１２ａを有する。表示装置指定キー１２ａが押下されることによって、制御部１０は、機種情報データベースを参照して、図５に示すようなＯＳＤ画像を表示装置４に表示する。また、操作部１２には、操作の際に、利用者からの情報の入力を受け付けるためのテンキー及び十字キーなどが備えられており、利用者は、表示装置４に表示されたＯＳＤ画像を見ながら、ビデオレコーダ１に接続されている表示装置４を指定する。これにより、ビデオレコーダ１に接続されている表示装置４のメーカ名及び機種名などを識別することができる。図５においては、機種情報データベースに記憶されている表示装置の識別名、すなわち、「メーカ名」及び「機種名」がスクロール画面で表示されている状態を示している。この状態で、利用者は「メーカ名」及び「機種名」を選択した後に「決定」を選択することによって、ビデオレコーダ１に接続されている表示装置４を指定することができる。
【００４０】
判定部１４は、利用者により指定された表示装置４に搭載されているアップコンバータ４２のアップコンバータ情報と、ビデオレコーダ１に搭載されているアップコンバータ１５のアップコンバータ情報とを、記憶部１６から読み出し、読み出したそれぞれのアップコンバータ情報を比較して、アップコンバータ１５及びアップコンバータ４２のうちのいずれのアップコンバータの変換能力が高いかを判定する。
【００４１】
例えば、アップコンバータ１５が動き適応処理に対応しており、アップコンバータ４２が動き適応処理に対応していない場合、判定部１４は、アップコンバータ１５の方がアップコンバータ４２より変換能力が高いと判定する。また、アップコンバータ１５，４２が共に動き適応処理に対応している場合、アップコンバータ１５，４２のフィルタの次数を比較し、フィルタの次数の大きい方のアップコンバータの変換能力が高いと判定する。同様に、アップコンバータ１５，４２が共に動き適応処理に対応し、かつフィルタの次数も同一である場合、アップコンバータ１５，４２の内部処理のビット数を比較し、内部処理のビット数の大きい方のアップコンバータの変換能力が高いと判定する。
【００４２】
そして、判定部１４は、上述した判定に基づいて、アップコンバータ１５にてＳＤ信号をＨＤ信号へアップコンバートすべきであるか否かを指示する指示信号を生成し、生成した指示信号をアップコンバータ１５へ与える。判定部１４より与えられる指示信号がアップコンバータ１５にてアップコンバートを行うべきであると指示する場合、アップコンバータ１５は、ＳＤ信号のＨＤ信号へのアップコンバート処理を行う。一方、判定部１４より与えられる指示信号がアップコンバータ１５にてアップコンバートを行うべきではないと指示する場合、アップコンバータ１５は、ＳＤ信号のＨＤ信号へのアップコンバート処理を行わない。
【００４３】
出力部１７には、液晶ディスプレイ又はＣＲＴディスプレイなどの表示装置４が接続されており、出力部１７は、ＨＤ信号へ変換された場合にはＨＤ信号を、ＨＤ信号へ変換されなかった場合にはＳＤ信号を出力する。
【００４４】
表示装置４は、ＣＰＵで構成された制御部４０を備えている。制御部４０はバスを介して、入力部４１，アップコンバータ４２，表示部４３などと接続され、これら各部を制御して、制御部４０に内蔵するＲＯＭに格納された制御プログラムに従って種々の機能を実行する。
【００４５】
入力部４１はビデオレコーダ１の出力部１７に接続されており、ビデオレコーダ１から出力されるＨＤ信号又はＳＤ信号が入力される。アップコンバータ４２は、表示装置４側の変換手段であり、入力部４１にＳＤ信号が入力された場合、ＳＤ信号をＨＤ信号へアップコンバートする。なお、入力部４１に入力された画像信号がＨＤ信号である場合、アップコンバータ４２にて映像信号を変換する必要がないことは言うまでもない。そして、入力部４１に入力されたＨＤ信号、又はアップコンバータ４２にてアップコンバートされたＨＤ信号に係る映像が表示部４３に表示される。
【００４６】
図６は本発明の実施の形態１に係る映像システムを構成するビデオレコーダの動作フローの概要を示すフローチャートである。なお、動作フローは一例であり、これに限定されるのではない。
【００４７】
ビデオレコーダ１は、表示装置指定キー１２ａが押下された場合（ステップＳ１）、機種情報データベースから表示装置４の識別情報を取得し、接続されている表示装置４を利用者に指定させるべく、図５のＯＳＤ画像を表示装置４に表示する（ステップＳ２）。これにより、利用者は、ＯＳＤ画像を見ながら、操作部１２を操作して表示装置４がいずれの機種であるかを指定することができる。そして、ビデオレコーダ１は、利用者により表示装置４の指定が行われると、指定された表示装置４に搭載されているアップコンバータ４２のアップコンバータ情報を機種情報データベースから抽出する（ステップＳ３）。
【００４８】
また、ビデオレコーダ１は、記憶部１６に記憶されているビデオレコーダ１に搭載されているアップコンバータ１５のアップコンバータ情報を読み出す（ステップＳ４）。そして、ビデオレコーダ１は、アップコンバータ１５のアップコンバータ情報とアップコンバータ４２のアップコンバータ情報とを比較して、アップコンバータ１５がアップコンバータ４２より変換能力が高いか否かを判定する（ステップＳ５）。
【００４９】
Ｓ５において、アップコンバータ１５がアップコンバータ４２より変換能力が高いと判定された場合（Ｓ５：ＹＥＳ）、アップコンバータ１５にてＳＤ信号をＨＤ信号へアップコンバートするように指示する指示信号をアップコンバータ１５へ与え、アップコンバータ１５は与えられた指示信号に従ってＳＤ信号をＨＤ信号へアップコンバートし、出力部１７からＨＤ信号を出力する（ステップＳ６）。
【００５０】
一方、Ｓ５において、アップコンバータ１５がアップコンバータ４２より変換能力が低い、換言すれば、アップコンバータ４２がアップコンバータ１５より変換能力が高いと判定された場合（Ｓ５：ＮＯ）、アップコンバータ１５にてＳＤ信号をＨＤ信号へアップコンバートしないように指示する指示信号をアップコンバータ１５へ与え、アップコンバータ１５は与えられた指示信号に従ってＳＤ信号のＨＤ信号へのアップコンバートを行わずに、出力部１７からＳＤ信号を出力する（ステップＳ７）。
【００５１】
図７は本発明の実施の形態１に係る映像システムを構成する表示装置の動作フローの概要を示すフローチャートである。なお、動作フローは一例であり、これに限定されるのではない。
【００５２】
表示装置４は、ビデオレコーダ１から入力された映像信号がＨＤ信号であるか否かを判定する（ステップＳ１１）。入力された映像信号がＨＤ信号であると判定された場合（Ｓ１１：ＹＥＳ）、入力されたＨＤ信号に係る映像を表示部４３に表示する（ステップＳ１２）。
【００５３】
一方、表示装置４は、入力された映像信号がＨＤ信号でないと判定された場合（Ｓ１１：ＮＯ）、すなわち映像信号がＳＤ信号である場合、ＳＤ信号をアップコンバータ４２にてＨＤ信号にアップコンバートし（ステップＳ１３）、アップコンバートしたＨＤ信号に係る映像を表示部４３に表示する（ステップＳ１４）。
【００５４】
上述した如く、ビデオレコーダ２が、アップコンバータ１５，４２のうちの変換能力が高いアップコンバータでＳＤ信号をＨＤ信号にアップコンバートすることができるので、表示装置４には品位に優れた映像が表示される。
【００５５】
（実施の形態２）
図８は本発明の実施の形態２に係る映像システムの構成を示すブロック図である。
本発明の実施の形態２に係る映像システムは、第１装置であるビデオレコーダ２と第２装置である表示装置４とを備える。ビデオレコーダ２は、制御部２０，入力部１１，操作部２１，記憶再生部１３，判定部１４，アップコンバータ１５，記憶部１６，出力部１７，通信部２２を備え、表示装置４は、制御部４０，入力部４１，アップコンバータ４２，表示部４３を備える。
【００５６】
ビデオレコーダ２は、通信部２２を介して、ＬＡＮ又はインターネットのような通信網２３に接続されている。操作部２１は、ビデオレコーダ２を操作するためのものであり、本実施形態において特徴的なアップコンバータ情報取得キー２１ａ及び表示装置指定キー２１ｂを有する。
【００５７】
アップコンバータ情報取得キー２１ａが押下されることによって、ビデオレコーダ２は、通信部２２を介して、アップコンバータ情報を取得し、機種情報データベースを適宜更新するように構成されている。その他の構成は実施の形態１と同様であるので、対応する部分には同一の符号を付してその詳細な説明を省略する。なお、アップコンバータ情報取得キー２１ａの押下によらず、例えば所定時間毎に自動的に通信部２２を介して、アップコンバータ情報を取得するようにしてもよいし、また、通信網２３ではなく、衛星からアップコンバータ情報を取得し、機種情報データベースを更新するようにしてもよい。
【００５８】
図９は本発明の実施の形態２に係る映像システムを構成するビデオレコーダの機種情報データベース更新時の動作フローの概要を示すフローチャートである。なお、動作フローは一例であり、これに限定されるのではない。
【００５９】
ビデオレコーダ２は、アップコンバータ情報取得キー２１ａが押下された場合（ステップＳ２１）、通信部２２を介して通信網２３からアップコンバータ情報を取得する（ステップＳ２２）。そして、ビデオレコーダ２は、取得したアップコンバータ情報に基づいて、機種情報データベースを更新する（ステップＳ２３）。なお、表示装置指定キー２１ｂが押下された場合の映像システムの動作フローは、実施の形態１（図６，図７）と同様であるので、その説明を省略する。
【００６０】
上述した如く、表示装置４に搭載されたアップコンバータ４２のアップコンバータ情報が、ビデオレコーダ２の機種情報データベースに存在しない場合であっても、外部からアップコンバータ情報を取得することにより、機種情報データベースを更新することができ、アップコンバータ４２の変換能力を認識することができる。したがって、ビデオレコーダ２の出荷後に新たな表示装置４が販売された場合であっても、いずれのアップコンバータの変換能力が高いかを判定することができ、映像信号をビデオレコーダ側のアップコンバータでアップコンバートさせた方が好ましいか否かを判断することができる。
【００６１】
（実施の形態３）
図１０は本発明の実施の形態３に係る映像システムの構成を示すブロック図である。
本発明の実施の形態３に係る映像システムは、それぞれの通信部を介して通信ケーブル６０で接続されたビデオレコーダ３と表示装置５とを備える。また、ビデオレコーダ３は、制御部３０，入力部１１，操作部３１，記憶再生部１３，判定部１４，アップコンバータ１５，記憶部１６，出力部１７，通信部３２を備え、表示装置５は、制御部５０，入力部４１，アップコンバータ４２，表示部４３，通信部５１，記憶部５２を備える。
【００６２】
記憶部５２は、電源オフ状態であっても記憶情報を保持することができるＥＥＰＲＯＭのようなメモリ特性を有するデバイスであり、記憶部５２にはアップコンバータ４２の性能を把握するためのアップコンバータ情報が記憶されている。アップコンバータ情報は、ビデオレコーダ３の記憶部１６に記憶されている情報と同様の情報であり、識別名、動き適応処理の有無、フィルタの次数及び内部処理のビット数が記憶されている。
【００６３】
操作部３１は、ビデオレコーダ３を操作するためのものであり、本実施形態において特徴的なアップコンバータ情報取得キー３１ａを有する。アップコンバータ情報取得キー３１ａが押下されることによって、ビデオレコーダ３は、表示装置５へアップコンバータ情報の送信を要求する要求信号を通信部３２から送信する。そして、表示装置５は、通信部５１にて要求信号を受信し、記憶部５２に記憶されているアップコンバータ情報をビデオレコーダ３へ送信する。これにより、ビデオレコーダ３は表示装置５のアップコンバータ４２のアップコンバータ情報を取得してアップコンバータ４２の変換能力を認識することができる。その他の構成は実施の形態１と同様であるので、対応する部分には同一の符号を付してその詳細な説明を省略する。
【００６４】
図１１は本発明の実施の形態３に係る映像システムのアップコンバータ情報取得時の動作フローの概要を示すフローチャートである。なお、動作フローは一例であり、これに限定されるのではない。
【００６５】
ビデオレコーダ３は、アップコンバータ情報取得キー３１ａが押下された場合（ステップＳ３１）、表示装置５へアップコンバータ情報の送信を要求する要求信号を送信する（ステップＳ３２）。
【００６６】
そして、表示装置５は、ビデオレコーダ３から要求信号を受信し（ステップＳ３３）、記憶部５２に記憶されているアップコンバータ４２のアップコンバータ情報を読み出し（ステップＳ３４）、読み出したアップコンバータ４２のアップコンバータ情報をビデオレコーダ３へ送信する（ステップＳ３５）。
【００６７】
ビデオレコーダ３は、表示装置５からアップコンバータ４２のアップコンバータ情報を受信し（ステップＳ３６）、アップコンバータ４２の変換能力を認識することができる。また、ビデオレコーダ３は、記憶部１６に記憶されているアップコンバータ１５のアップコンバータ情報を読み出す（ステップＳ３７）。そして、ビデオレコーダ３は、アップコンバータ１５のアップコンバータ情報とアップコンバータ４２のアップコンバータ情報とを比較して、アップコンバータ１５がアップコンバータ４２より変換能力が高いか否かを判定する（ステップＳ３８）。
【００６８】
Ｓ３８において、アップコンバータ１５がアップコンバータ４２より変換能力が高いと判定された場合（Ｓ３８：ＹＥＳ）、その旨を示す指示信号をアップコンバータ１５へ与え、アップコンバータ１５は与えられた指示信号に従ってＳＤ信号をＨＤ信号へアップコンバートし、出力部１７からＨＤ信号を出力する（ステップＳ３９）。
【００６９】
一方、Ｓ３８において、アップコンバータ１５がアップコンバータ４２より変換能力が低い、換言すれば、アップコンバータ４２がアップコンバータ１５より変換能力が高いと判定された場合（Ｓ３８：ＮＯ）、その旨を示す指示信号をアップコンバータ１５へ与え、アップコンバータ１５は与えられた指示信号に従ってＳＤ信号のＨＤ信号へのアップコンバートを行わずに、出力部１７からＳＤ信号を出力する（ステップＳ４０）。なお、アップコンバータ情報取得後の映像システムの動作フローは、実施の形態１と同様（図６，図７）であるので、その説明を省略する。
【００７０】
上述した如く、表示装置５からビデオレコーダ３へアップコンバータ情報を送信することにより、表示装置５のアップコンバータの変換能力を認識することができるため、ビデオレコーダ３の記憶部１６に機種情報データベースが必ずしも記憶されている必要はない。
【００７１】
なお、各実施の形態では、アップコンバータ情報が、動き適応処理の有無、フィルタの次数及び内部処理のビット数からなる場合について説明したが、アップコンバータ情報の内容について限定されるものではない。また、ＳＤ信号をＨＤ信号へアップコンバートする場合について説明したが、ＨＤ信号からＳＤ信号へダウンコンバートする場合についても同様であり、入力された映像信号を走査線数の異なる別の映像信号へ変換する場合に適用できる。
【図面の簡単な説明】
【００７２】
【図１】本発明の実施の形態１に係る映像システムの構成を示すブロック図である。
【図２】機種情報データベースの一例を示すテーブル図である。
【図３】フィールド内内挿処理を説明するための説明図である。
【図４】フィールド間内挿処理を説明するための説明図である。
【図５】表示装置指定時のＯＳＤ画像を示す模式図である。
【図６】本発明の実施の形態１に係る映像システムを構成するビデオレコーダの動作フローの概要を示すフローチャートである。
【図７】本発明の実施の形態１に係る映像システムを構成する表示装置の動作フローの概要を示すフローチャートである。
【図８】本発明の実施の形態２に係る映像システムの構成を示すブロック図である。
【図９】本発明の実施の形態２に係る映像システムを構成するビデオレコーダの機種情報データベース更新時の動作フローの概要を示すフローチャートである。
【図１０】本発明の実施の形態３に係る映像システムの構成を示すブロック図である。
【図１１】本発明の実施の形態３に係る映像システムのアップコンバータ情報取得時の動作フローの概要を示すフローチャートである。
【符号の説明】
【００７３】
１，２，３  ビデオレコーダ
４，５  表示装置
１０，２０，３０  制御部
１１  入力部
１２，２１，３１  操作部
１４  判定部
１５  アップコンバータ
１６  記憶部
１７  出力部
２２，３２  通信部
４０，５０  制御部
４１  入力部
４２  アップコンバータ
４３  表示部
５１  通信部
５２  記憶部
【図１】
2006050352.tif 000003
【図２】
2006050352.tif 000004
【図３】
2006050352.tif 000005
【図４】
2006050352.tif 000006
【図５】
2006050352.tif 000007
【図６】
2006050352.tif 000008
【図７】
2006050352.tif 000009
【図８】
2006050352.tif 000010
【図９】
2006050352.tif 000011
【図１０】
2006050352.tif 000012
【図１１】
2006050352.tif 000013